(57)【要約】【課題】取り扱いが容易であり且つ胃瘻の長さがある程度長くなっても対応することができるボタン型胃瘻チューブを提供する。【解決手段】胃瘻１６に挿入するチューブ本体２の先端に設けたバンパー部３は、チューブ本体２の先端側に向かってドーム状に拡径するドーム壁部７と、ドーム壁部７に形成されてチューブ本体２が挿通する挿通孔９と、チューブ本体２の先端に固定された環状の固定部８と、固定部８とドーム壁部７とを連結する複数の連結部１０と、ドーム壁部７の内面側に形成され、バンパー部３を胃内に挿入するときに用いる硬質棒状の挿入補助具１２の先端部をバンパー部３の軸線に交差する方向に沿って挿着する挿着部１３とを備える。【選択図】図３
2015154875.tif 000002
【特許請求の範囲】
【請求項１】
胃瘻に挿入されるチューブ本体と、該チューブ本体の先端に設けられて胃の内壁に係止される可撓性を有するバンパー部と、前記チューブ本体の基端に設けられて体表に係止される体表係止部とを備えるボタン型胃瘻チューブにおいて、
前記バンパー部は、前記チューブ本体の先端側に向かってドーム状に拡径するドーム壁部と、該ドーム壁部に形成されて前記チューブ本体が挿通する挿通孔と、前記チューブ本体の先端に固定された環状の固定部と、一端が前記固定部に連結され他端が前記ドーム壁部の先端縁に連結されて前記チューブ本体の外側の周方向に互いに所定間隔を存して配設された帯状の複数の連結部と、前記ドーム壁部の内面側に形成され、該バンパー部を胃内に挿入するときに用いる硬質棒状の挿入補助具の先端部をバンパー部の軸線に交差する方向に沿って挿着する挿着部とを備えていることを特徴とするボタン型胃瘻チューブ。
【請求項２】
前記挿着部は、互いに隣り合う一対の前記連結部間の間隙に対応する位置に設けられていることを特徴とする請求項１記載のボタン型胃瘻チューブ。
【発明の詳細な説明】
【技術分野】
【０００１】
本発明は、胃瘻を介して胃に直接栄養を注入する際に用いられるボタン型胃瘻チューブに関する。
【背景技術】
【０００２】
近年、食物を経口摂取できない患者のために、体外から胃内に貫通した胃瘻を患者に穿設し、そこに胃瘻チューブを挿入して直接胃に栄養物を供給することが行われている。胃瘻チューブにはボタン型とチューブ型とがあり、ボタン型胃瘻チューブはチューブの長さが固定されるものの体表からの突出が少なく邪魔にならないというメリットがある。
【０００３】
しかしながら、ボタン型胃瘻チューブはチューブの長さが固定されるため、体重増加等により腹壁や胃壁が厚くなり胃瘻長が長くなると胃瘻内にバンパー部が埋没してしまう等の問題がある。
【０００４】
そこで、従来、腹壁や胃壁がある程度厚くなっても交換することなく対応することができるボタン型胃瘻チューブが提案されている（例えば、特許文献１参照）。
【０００５】
このものは、チューブ本体とバンパー部と体表係止部とを備え、バンパー部がチューブ本体に移動自在に連結されている。そして、腹壁が厚くなるとバンパー部がチューブ本体に対して胃内側に移動しチューブ本体の実質的な長さが長くなることにより腹壁の厚さの増加に対応できるように構成される。
【０００６】
このように構成されたボタン型胃瘻チューブを胃瘻に挿入する際には、棒状の挿入補助具をチューブ本体内に挿入しバンパー部の先端と係合させる。そして、挿入補助具を更に押し込みバンパー部をその軸線に沿って先端方向に向かって細長く変形させる。この状態でボタン型胃瘻チューブを胃瘻に挿入する。そして、バンパー部が胃内に達したら挿入補助具をチューブ本体から抜き去り、バンパー部が元の形状に戻って胃の内壁に係止される。
【先行技術文献】
【特許文献】
【０００７】
【特許文献１】特開２００４−２６１５６６号公報
【発明の概要】
【発明が解決しようとする課題】
【０００８】
しかし、上記従来のボタン型胃瘻チューブでは、バンパー部を細長く変形させるために挿入補助具によりバンパー部を押圧する方向が、チューブ本体に沿ったバンパー部の移動方向と同じであるため、この操作時にバンパー部がチューブ本体の先端まで移動し、チューブ本体の実質的な長さが長くなりすぎてしまうおそれがある。このため、施術者は、胃瘻への挿入時にバンパー部が移動しないように注意しながら押し込む必要があり、その操作に熟練を要するという不都合がある。
【０００９】
上記の点に鑑み、本発明は、取り扱いが容易であり且つ胃瘻の長さがある程度長くなっても対応することができるボタン型胃瘻チューブを提供することを目的とする。
【課題を解決するための手段】
【００１０】
かかる目的を達成するために、本発明は、胃瘻に挿入されるチューブ本体と、該チューブ本体の先端に設けられて胃の内壁に係止される可撓性を有するバンパー部と、前記チューブ本体の基端に設けられて体表に係止される体表係止部とを備えるボタン型胃瘻チューブにおいて、前記バンパー部は、前記チューブ本体の先端側に向かってドーム状に拡径するドーム壁部と、該ドーム壁部に形成されて前記チューブ本体が挿通する挿通孔と、前記チューブ本体の先端に固定された環状の固定部と、一端が前記固定部に連結され他端が前記ドーム壁部の先端縁に連結されて前記チューブ本体の外側の周方向に互いに所定間隔を存して配設された帯状の複数の連結部と、前記ドーム壁部の内面側に形成され、該バンパー部を胃内に挿入するときに用いる硬質棒状の挿入補助具の先端部をバンパー部の軸線に交差する方向に沿って挿着する挿着部とを備えていることを特徴とする。
【００１１】
本発明のボタン型胃瘻チューブを胃瘻に取り付けるときには、先ず、硬質棒状の挿入補助具の先端部をバンパー部の挿着部に挿着し、チューブ本体を挿入補助具の長手方向に沿わせるように倒して、更にチューブ本体を挿入補助具の後方側に引っ張る。
【００１２】
挿着部はドーム壁部の内面側に形成されており、挿入補助具の先端部をバンパー部の軸線に交差する方向に沿って挿着するように設けられている。このため、挿入補助具をバンパー部の挿着部に挿着すると挿入補助具とドーム壁部の内側との間に固定部及び連結部が挟まれた状態となる。そしてこの状態でチューブ本体を挿入補助具の後方側に引っ張ることで、ドーム壁部がその径方向に伸長されて固定部及び連結部を包み込むようにして変形する。これにより、バンパー部は、比較的凹凸の少ない形状に変形するので、胃瘻への挿入抵抗が小さく円滑に挿入することができる。しかも、バンパー部の先端の固定部がチューブ本体の先端に固定されているので、バンパー部はチューブ本体に対して移動することはなく、極めて取り扱いが容易であり操作性がよい。
【００１３】
続いて、バンパー部が胃内に入ったところで、挿入補助具を抜き取ると、バンパー部は元の形状に復元することによりドーム壁部が拡開して胃の内壁に係止される。
【００１４】
バンパー部は先端の固定部がチューブ本体の先端に固定され、チューブ本体と一体化されている。そして、バンパー部の撓み（連結部の変形）に応じてドーム壁部がチューブ本体の長手方向に移動可能となっている。これによれば、患者の体重増加等により腹壁や胃壁等が厚くなるに伴い、ドーム壁部が胃の内側方向に押されて連結部を変形させつつチューブ本体の先端側に移動する。よって、ある程度腹壁や胃壁等が厚くなり胃瘻の長さが長くなっても胃瘻内にバンパー部が埋没することなく胃の内壁にバンパー部が係止した状態を確実に維持することができる。
【００１５】
また、本発明において、前記挿着部は、互いに隣り合う一対の前記連結部間の間隙に対応する位置に設けられていることが好ましい。これによれば、挿着部を連結部の間から視認することができ、挿入補助具を挿着部に挿着する際の操作性を向上させることができる。
【図面の簡単な説明】
【００１６】
【図１】本発明のボタン型胃瘻チューブの実施形態を示す斜視図。
【図２】バンパー部の説明的底面。
【図３】図２のIII−III線断面図。
【図４】オブチュレータに保持された状態のボタン型胃瘻チューブを示す側面図。
【図５】バンパー部の変形状態を示す説明図。
【図６】ボタン型胃瘻チューブの使用状態を示す説明図．
【図７】ボタン型胃瘻チューブの使用状態を示す説明図．
【発明を実施するための形態】
【００１７】
本発明の一実施形態を図面に基づいて説明する。図１に示すように、本実施形態のボタン型胃瘻チューブ１は、チューブ本体２とチューブ本体２の先端に設けられた可撓性を有するシリコンゴム製のバンパー部３と、チューブ本体２の基端に径方向外方に延設された体表係止部４とからなる。体表係止部４にはチューブ本体２に連通するポート５を閉塞する栓体６が連設されている。
【００１８】
バンパー部３は、先端方向に向かってドーム状に拡径するドーム壁部７と、チューブ本体２の先端に固定された環状の固定部８とを備えている。
【００１９】
ドーム壁部７は、平面視円形状に形成されており、その中央部に形成された挿通孔９には、チューブ本体２が挿通されている。挿通孔９は、その内径がチューブ本体２の外径よりも大きく形成されており、これによって、ドーム壁部７はチューブ本体２の長手方向への移動が許容されている。
【００２０】
図１及び図２に示すように、ドーム壁部７と固定部８とは、周方向に所定間隔を存して設けられた複数の（本実施形態は４つ）の連結部１０により連結されている。各連結部１０は湾曲する帯状に形成されており、ドーム壁部７と固定部８とを一体に連結している。ドーム壁部７と連結部１０とは同じ肉厚で形成されているが、その形状の違いにより連結部１０がドーム壁部７よりも撓みやすくなっている。
【００２１】
また、図２及び図３に示すように、ドーム壁部７の内側には、後述するオブチュレータ１１のロッド１２（挿入補助具）の先端を挿着するための挿着部１３が形成されている。挿着部１３は、各連結部１０間の間隙に対応する位置に設けられており、これによって視認性が高い。挿着部１３は、バンパー部３の中心方向に向かって（チューブ本体２に対向して）開口し、バンパー部３の軸線に交差する方向（本実施形態においてはドーム壁部７の径方向）に沿って延びる孔により構成されている。
【００２２】
本実施形態のボタン型胃瘻チューブ１を胃瘻に取り付ける際には、図４に示すように、オブチュレータ１１が用いられる。オブチュレータ１１は、ステンレス製のロッド１２と、ロッド１２の基端部に設けられたチューブ保持部１４と、施術者が握るグリップ１５とを備えている。
【００２３】
オブチュレータ１１を用いることによって、バンパー部３を胃瘻に挿入し易い形状に変形させることができる。即ち、先ず、オブチュレータ１１のロッド１２先端を挿着部１３に挿着する。このとき、挿着部１３の開口がチューブ本体２に対向しているが、ドーム壁部７と連結部１０とを互いに密着させるようにしてバンパー部３を扁平に変形させれば、挿着部１３へのロッド１２の挿着を円滑に行うことができる。
【００２４】
次いで、チューブ本体２をロッド１２に沿わせるように倒し、更にロッド１２の後方側（グリップ１５側）に向かってチューブ本体２を引っ張り、この状態を維持すべくチューブ保持部１４にチューブ本体２を嵌め込み保持させる。
【００２５】
これにより、バンパー部３は、図５に示すように、ロッド１２とチューブ本体２との間に固定部８が挟み込まれると共に各連結部１０が屈曲してドーム壁部７の内側に入り込み、更に、ドーム壁部７が径方向に引っ張られることにより細長くなりながら各連結部１０を包み込む形状に変形する。
【００２６】
こうして、図４及び図５に示すように、バンパー部３は、オブチュレータ１１のロッド１２の先端に、凹凸の少ない、或いは、凹凸が生じていても滑らかな細長い状態で保持される。この状態で、オブチュレータ１１のロッド１２先端と共にバンパー部３を胃瘻に挿入することで、挿入時の抵抗が少なく挿入作業を容易に行うことができ、患者への負担も少ない。
【００２７】
その後、チューブ本体２をオブチュレータ１１のチューブ保持部１４から取り外し、ロッド１２を胃瘻から抜去することにより、図６に示すように、バンパー部３は自己の復元力により元の形状に戻り、胃瘻１６へのボタン型胃瘻チューブ１の取り付けが完了する。
【００２８】
なお、体表係止部４を体表に係止させた際に、バンパー部３と胃壁１７との間に５〜１０ｍｍ程度の隙間があってもよい。この程度の隙間であれば、問題なくボタン型胃瘻チューブ１としての機能を発揮することができ、また、従来から余裕をみて、ある程度の隙間ができる長さのボタン型胃瘻チューブを選択して用いられている。
【００２９】
また、本実施形態のボタン型胃瘻チューブ１によれば、胃瘻１６の長さが長くなってもバンパー部３のドーム壁部７がそれに追従してチューブ本体２に対して移動する。
【００３０】
即ち、図７に示すように、腹壁１８や胃壁１７の厚さが厚くなり胃瘻１６の長さが長くなると、各連結部１０が変形してドーム壁部７の内側に入り、ドーム壁部７がその形状を維持してチューブ本体２の先端方向に移動する。これにより、本実施形態のボタン型胃瘻チューブ１は、胃瘻１６の長さがある程度長くなってもそれに伴いチューブ本体２の実質的な長さを長くすることができる。しかも、各連結部１０が変形することによってドーム壁部７の変形が少なく抑えられ、胃壁１７への負担が小さいだけでなく、胃瘻１６内へのバンパー部３の埋没や胃瘻１６からのバンパー部３の抜け出しを確実に防止することができる。
【００３１】
また、本実施形態のボタン型胃瘻チューブ１は、従来品の様に、チューブ本体２に対してバンパー部３が移動自在に構成されておらず、バンパー部３の先端が固定部８を介してチューブ本体２の先端に一体に固定されている。このため、バンパー部３を胃瘻１６に挿入する際に、バンパー部３がチューブ本体２に対して不用意に移動してしまうことがなく、取り扱いが容易であるため操作性がよい。
【符号の説明】
【００３２】
１…ボタン型胃瘻チューブ、２…チューブ本体、３…バンパー部、４…体表係止部、７…ドーム壁部、８…固定部、９…挿通孔、１０…連結部、１２…ロッド（挿入補助具）、１３…挿着部、１６…胃瘻。
【図１】
2015154875.tif 000003
【図２】
2015154875.tif 000004
【図３】
2015154875.tif 000005
【図４】
2015154875.tif 000006
【図５】
2015154875.tif 000007
【図６】
2015154875.tif 000008
【図７】
2015154875.tif 000009